(57)【要約】      （修正有）【課題】従来の機器よりも低廉なツールを用い、安全にカード決済処理を実行するシステムを提供する。【解決手段】商品販売又は役務提供の代金を購入がなされた現場でカード決済するためのシステムであって、商品販売等の提供スタッフの携帯電話機４０と、決済中継サーバ１０と、会員管理用データベースとを少なくとも備えており、携帯電話機４０の所持者本人確認を行った後に、その携帯電話機４０からカード決済内容を送信することによりカード決済を行うシステムである。【選択図】図１
2006146411.tif 000002
【特許請求の範囲】
【請求項１】
商品販売又は役務提供スタッフの携帯電話機と、ネットワークを介してこの携帯電話機と接続される決済中継サーバと、前記スタッフに付与される会員コードとパスワードとを記憶させる会員管理用データベースとを備え、前記スタッフにより顧客に対して販売された商品又は提供された役務の代金に関するカード決済処理をネットワークを介して実行するシステムであって、
所定組織が予め通信端末装置より前記スタッフに付与される会員コードとパスワードを前記会員管理用データベースに登録する第１処理手段と、前記決済中継サーバに接続された携帯電話機がカード決済承認サイトにアクセスしたときに該携帯電話機に入力された会員コードとパスワードをネットワークを介して受信し、該会員コードが前記会員管理用データベースにより登録されている場合にのみ、前記携帯電話機に入力された会員コードとパスワードに基づき認証する第２処理手段と、この第２処理手段による確認が肯定的な場合には前記携帯電話機にカード決済サイトへの利用を可能とする第３処理手段と、前記カード決済サイトにアクセスした携帯電話機から該携帯電話機に入力された会員コード、パスワードに基づき、決済中継サーバが接続された該携帯電話機において作成された認証をネットワーク経由で受信し、その認証を前記会員管理用データベースに登録する第４処理手段と、前記認証が前記会員管理用データベースに登録されている場合にのみカード情報の入力を可能とする第５処理手段と、該携帯電話機に入力されたカード情報をネットワーク経由で受信した上で、該カード情報に従ってカード決済処理を実行する第６処理手段とを備えていることを特徴とする決済処理システム。
【請求項２】
前記カード情報を商品販売又は役務提供スタッフの携帯電話機に入力する際に、商品又は役務の購入者の暗証コードの少なくとも７個以上をマスクし購入者に対して確認可能とする一方、前記スタッフに対しては暗証コードの確認を不可能とすることを特徴とする請求項１記載の決済処理システム。
【請求項３】
前記カード決済処理を行った後に、前記商品販売又は役務提供を受けた購入者の携帯電話機から暗証コードを入力することにより、前記カード決済の内容を確認可能な第７処理手段を設けたことを特徴とする請求項１または２に記載の決済処理システム。
【請求項４】
前記カード決済処理の内容に応じて前記商品販売又は役務提供を受けた購入者に対して所定のポイントを付与し、このポイントを登録するポイントカードデータベースを設け、このポイントカードデータベースに対して前記購入者がアクセスしたときには、前記購入者の暗証コードを入力することにより、前記購入者の携帯電話機に現在のポイントを返送する第８処理手段を設けたことを特徴とする請求項１〜３のいずれかに記載の決済処理システム。
【請求項５】
請求項１で行った処理を商品販売者の氏名が商品購入者の携帯電話機に携帯電話機の所持者本人確認を行い、予め顧客ごとに登録された注文受付オペレータが携帯電話機からの注文及び購入履歴を受け付けることを特徴とする請求項１〜４のいずれかに記載の決済処理システム。
【請求項６】
請求項１で行った処理を商品購入者の指紋を携帯のデジタルカメラで撮影し、押印の代わりとして暗証コード、日時、氏名、指紋の写真乃至顔写真を呼び出すことができることを特徴とする請求項１〜５のいずれかに記載の決済処理システム。
【請求項７】
請求項１で行った処理を商品購入者のＷＥＢに暗証コード、商品、商品代金、購入日、時間を送信し確認することができると共に、担当オペレータ検索接続手段は、担当オペレータ端末機に表示する着信記録・保留通知手段をさらに備えていることを特徴とする請求項１〜６のいずれかに記載の決済処理システム。
【請求項８】
請求項１で行った処理のうちで、携帯電話機とネットワークを介して接続される決済中継サーバとの間の情報伝達において、データの暗号化により情報漏洩対策を備えていることを特徴とする請求項１〜７のいずれかに記載の決済処理システム。
【発明の詳細な説明】
【技術分野】
【０００１】
本発明は、商品販売スタッフ又は役務提供スタッフの携帯電話機と、ネットワークを介して接続される決済中継サーバとを利用することにより、スタッフから顧客に対して販売された商品又は提供された役務に係る代金のカード決済処理をネットワークを介して、安全且つ安価に実行するカード決済システム等に関する。
【背景技術】
【０００２】
従来、クレジットカードを利用する際には、クレジットカード加盟店に備え付けてあるＣＡＴ（Ｃｒｅｄｉｔ  Ａｕｔｈｏｒｉｚａｔｉｏｎ  Ｔｅｒｍｉｎａｌ）を用いて、クレジットカードの磁気ストライプに記録された内容を読取り、クレジットカード会社のデータベースから顧客の信用情報を引き出し信用度を確認して、取引の是非を判断する。しかし、化粧品等の商品の訪問販売や、荷物の運送等の役務の提供においては、スタッフが顧客の赴いた上で、その顧客から直接支払を受ける場合がある。また、近年では顧客の便宜のため、スタッフが顧客からクレジットカードを一時的に預かった上でこれを携帯機器に通すことにより、カード決済が完了するようなシステムが採用されている。
【０００３】
上記の従来の決済方式で採用されているカード決済用の携帯機器はメンテナンスのコストも含め高コストであるため、この機器を用いることは、スタッフの数を増大して商業規模を拡大することの妨げとなる場合がある。
このような状況を解決するための工夫として、例えば特開２００４−２０６２８４号に開示されたものがある。この先行技術では、特別なチップツールを携帯電話機と接続することにより、ネットワークを介して、クレジットカードの決済処理を可能としている。
【０００４】
【特許文献１】特開２００４−２０６２８４号公報
【発明の開示】
【発明が解決しようとする課題】
【０００５】
しかしながら、上記先行技術では、特別なチップツールを用いなければならないため、充分に低廉化を図ることが困難であり、更なる工夫が望まれていた。
本発明は上記問題に鑑みてなされたものであり、その目的は、従来の機器よりも低廉なツールを用い、安全にカード決済処理を実行するシステムを提供することにある。
【課題を解決するための手段】
【０００６】
発明者らは前記課題を解決するために鋭意研究を重ねた結果、以下のシステムにより解決されることを見出した。
こうして、上記課題を達成するための第１の発明に係る決済処理システムは、商品販売又は役務提供スタッフの携帯電話機と、ネットワークを介してこの携帯電話機と接続される決済中継サーバと、前記スタッフに付与される会員コードとパスワードとを記憶させる会員管理用データベースとを備え、前記スタッフにより顧客に対して販売された商品又は提供された役務の代金に関するカード決済処理をネットワークを介して実行するものであって、所定組織が予め通信端末装置より前記スタッフに付与される会員コードとパスワードを前記会員管理用データベースに登録する第１処理手段と、前記決済中継サーバに接続された携帯電話機がカード決済承認サイトにアクセスしたときに該携帯電話機に入力された会員コードとパスワードをネットワークを介して受信し、該会員コードが前記会員管理用データベースにより登録されている場合にのみ、前記携帯電話機に入力された会員コードとパスワードに基づき認証する第２処理手段と、この第２処理手段による確認が肯定的な場合には前記携帯電話機にカード決済サイトへの利用を可能とする第３処理手段と、前記カード決済サイトにアクセスした携帯電話機から該携帯電話機に入力された会員コード、パスワードに基づき、決済中継サーバが接続された該携帯電話機において作成された認証をネットワーク経由で受信し、その認証を前記会員管理用データベースに登録する第４処理手段と、前記認証が前記会員管理用データベースに登録されている場合にのみカード情報の入力を可能とする第５処理手段と、該携帯電話機に入力されたカード情報をネットワーク経由で受信した上で、該カード情報に従ってカード決済処理を実行する第６処理手段とを備えていることを特徴とする。
【０００７】
上記発明においては、前記カード情報を商品販売又は役務提供スタッフの携帯電話機に入力する際に、商品又は役務の購入者の暗証コードの少なくとも７個以上をマスクし購入者に対して確認可能とする一方、前記スタッフに対しては暗証コードの確認を不可能とすることが好ましい。ここで、「スタッフに対しては暗証コードの確認を不可能とする」手段としては、（１）暗証コードを入力した後に、前のホームページに逆登れなくする、或いは（２）暗証コードを入力した後に、ホームページを逆登ることはできるが、その際には前の入力データを復活させないなどが例示されるが、本発明はこれらの手段に限られず、スタッフが暗証コードを確認できないものであればよい。
【０００８】
また、上記発明においては、前記カード決済処理を行った後に、前記商品販売又は役務提供を受けた購入者の携帯電話機から暗証コードを入力することにより、前記カード決済の内容を確認可能な第７処理手段を設けることが好ましい。
また、上記発明においては、前記カード決済処理の内容に応じて前記商品販売又は役務提供を受けた購入者に対して所定のポイントを付与し、このポイントを登録するポイントカードデータベースを設け、このポイントカードデータベースに対して前記購入者がアクセスしたときには、前記購入者の暗証コードを入力することにより、前記購入者の携帯電話機に現在のポイントを返送する第８処理手段を設けることが好ましい。
また、上記発明においては、商品販売者の氏名が商品購入者の携帯電話機に携帯電話機の所持者本人確認を行い、予め顧客ごとに登録された注文受付オペレータが携帯電話機からの注文及び購入履歴を受け付けるシステムとすることが好ましい。
【０００９】
また、上記発明においては、商品購入者の指紋を携帯のデジタルカメラで撮影し、押印の代わりとして暗証コード、日時、氏名、指紋の写真乃至顔写真を呼び出すことが好ましい。
また、上記発明においては、商品購入者のＷＥＢに暗証コード、商品、商品代金、購入日、時間を送信し確認することができると共に、担当オペレータ検索接続手段は、担当オペレータ端末機に表示する着信記録・保留通知手段をさらに備えていることが好ましい。
また、上記発明においては、携帯電話機とネットワークを介して接続される決済中継サーバとの間の情報伝達において、データの暗号化により情報漏洩対策を備えていることが好ましい。「データの暗号化」とは、ＳＳＬ（Secure Sochets Layer）、ＴＬＳ（Transport Layer Security）、ＩＰＳｅｃ（IP security Protocol）、ＶＰＮ（virtual private network）などの技術を用いて、データを第三者から容易に確認できないように変更することを意味している。
【００１０】
本発明によれば、予め会員コード及びパスワードが所定組織から各スタッフに付与される。その上でまず、スタッフにより携帯電話機から決済中継サーバにネットワークを介して接続されることで、「カード決済承認サイト」にアクセス可能となる。
次に、スタッフにより、カード決済承認サイトにアクセス状態にある携帯電話機に会員コードが入力されることで、この会員コードが会員管理用データベースにより登録されている場合にのみ、スタッフによる携帯電話機へのカード情報の入力が可能になる。
その後、スタッフが商品の販売又は役務の提供を行い、顧客がカードによる対価支払を希望する場合には、まずスタッフにより携帯電話機がカード決済サイトにアクセス状態とされる。次に、顧客からスタッフにクレジットカードが預けられ、スタッフによりこのカード情報が携帯電話機に入力されることで、顧客のカード支払決済が行われる。
このように本発明によれば、チップのように新たな構成を用いることなく、携帯電話機を使用してカード決済を行うことが可能となるので、安全且つ安価なカード決済システムを構築することができる。
【発明を実施するための最良の形態】
【００１１】
次に、本発明の実施形態について、詳細に説明するが、本発明の技術的範囲は、下記の実施形態によって限定されるものではなく、その要旨を変更することなく、様々に改変して実施することができる。また、本発明の技術的範囲は、均等の範囲にまで及ぶものである。
図１は、携帯電話機を使用したカード決済システムの概要を示すものである。このカード決済システムには、商品販売又は役務提供スタッフ（以下、単に「スタッフ」という）により所持される携帯電話機４０と、ネットワークであるインターネット網５０を介して接続された各種サーバ５，１０，２０，３０が設けられている。なお、図１によれば本システムは複数台のサーバ５，１０，２０，３０により構成されているが、本発明によれば、１台のサーバに全ての機能を持たせて構成することもできる。
また、商品又は役務を購入した購入者の携帯電話機７０からも、カード決済内容の確認、又はポイント数確認のためにＷｅｂサーバ５に接続することができる。
【００１２】
サーバは、それぞれの携帯電話機４０からアクセスが行われるＷｅｂサーバ５、決済のための各種中継処理が行われる決済中継サーバ１０、各種データベースを備えたデータベースサーバ２０、及び注文管理を行う注文管理サーバ３０とされている。また、会員管理のための初期データを登録する第１処理を行う所定組織通信端末装置６０が、インターネット網５を介して、各サーバ５、１０、２０、３０に接続可能とされている。更に、商品又は役務を購入し、カード決済処理をした者（購入者）は、その者の携帯電話機７０を介して、カード決済処理の内容を確認することができる。
【００１３】
各サーバのうち、データベースサーバ２０には、図２に示すように、会員管理用データベース１１１と、決済用データベース１１２と、ポイントカードデータベース１１３が備えられている。また、決済中継サーバ１０には、Ｗｅｂサーバ５から入力されるデータの処理、及びデータベースサーバ２０のデータベース１１１，１１２，１１３のデータを参照しつつ各種の処理を行う第１処理ユニット１２１、第２処理ユニット１２２、第３処理ユニット１２３、第４処理ユニット１２４、第５処理ユニット１２５、第６処理ユニット１２６、第７処理ユニット１２７及び第８処理ユニット１２８が設けられている（上記各ユニット１２１〜１２８は、それぞれ本発明における第１処理手段〜第８処理手段に対応している）。
【００１４】
会員管理用データベース１１１には、商品の販売会社又は役務の提供会社から各スタッフに与えられる会員コード、パスワード、住所、氏名、電子メールアドレス、銀行口座、手数料情報の各種データが記録されている。このデータベース１１１に対しては、予め所定組織通信端末装置６０より、注文管理サーバ３０に設けられた「会員情報登録サイト」を介して、各種データを記録しておく（後述する「第１処理」）。第１処理ユニット１２１は、予め各会員の会員コード、パスワード等の情報をデータベース１１１に登録しておくことで、携帯電話機４０のカード決済処理を可能とする。
決済用データベース１１２には、商品又は役務の購入者のＩＤコード・暗証コード、及び各カード決済を行った内容（顧客が購入した商品又は役務の内容、カード決済を行った会員（スタッフ）の会員コード、日付など）が記録されている。
【００１５】
また、ポイントカードデータベース１１３には、カード決済処理の内容に応じて、商品販売又は役務提供を受けた購入者に対して付与された所定のポイント、このポイントを利用して取引（別の商品又は役務の購入）をしたときのポイントの減算、及びそれらの経緯が記録されている。
第２処理ユニット１２２は、カード決済承認サイトにアクセスした携帯電話機４０から、スタッフにより携帯電話機４０に入力された会員コード及びパスワードをネットワーク５０経由で受信し、その会員コードが会員管理用データベース１１１に登録されている場合にのみ、携帯電話機４０に入力された会員コードとパスワードに基づき認証を行う。
第３処理ユニット１２３は、会員管理用データベース１１１に登録されたデータと、第２処理ユニット１２２から送信された認証（携帯電話機４０からスタッフにより入力された会員コード及びパスワードデータに基づいて作成されたもの）との整合性に関する情報をネットワーク経由で受信する。ここで、両データが一致したことを条件として、第３処理ユニット１２３は、携帯電話機４０への「カード情報」の入力を可能とする。
【００１６】
第４処理ユニット１２４は、携帯電話機４０に入力された会員コード、パスワードに基づいて作成された認証をネットワーク経由で受信し、その認証を会員管理用データベース１１１に登録する。
第５処理ユニット１２５は、スタッフがカード決算処理を行う場合に、まず携帯電話機４０に入力された会員コードとパスワードから作成された認証が、会員管理用データベース１１１に登録されていることを確認し、それが登録されている場合にのみ、カード決算用のカード情報の入力を許容する。
第６処理ユニット１２６は、携帯電話機４０に入力された顧客のカード情報をネットワーク経由で受信した上で、そのカード情報に基づき、カード会社等の金融機関の端末７０との間でネットワーク通信を行い、カード決済処理を実行すると共に、その処理結果をＷｅｂサーバ５を介して携帯電話機４０に返す。また、携帯電話機４０より入力されたカード決済用の情報は、決済用データベース１１２に登録される。また、第８処理ユニット１２８に対して、顧客が購入した商品又は役務に関する情報を伝達する。なお、この情報は、後述のように、第８処理ユニット１２８によって、ポイントカードデータベース１１３に登録される。
【００１７】
第７処理ユニット１２７は、商品又は役務の購入者の携帯電話機７０から、その購入者のＩＤコードと暗証コードを受信し、それらのコードが正しい場合には、その購入者がカード決済した内容を携帯電話機７０により確認する情報を返す。
第８処理ユニット１２８は、カード決済処理を行ったときに、その内容に応じて、購入者に対して所定のポイントを付与し、そのポイントをポイントカードデータベース１１３に記録する。また、このユニット１２６は、所定のポイントの加算処理、そのポイントを使用して他の商品又は役務を購入したときのポイントの減算処理、及びそれらのポイント計算の経緯などの記録処理を行う。
また、本実施形態においては、携帯電話機４０、７０とネットワーク５０を介して接続される決済中継サーバ１０との間の情報伝達には、データの暗号化により情報漏洩対策を備えている。このようなデータの暗号化には、ＳＳＬ、ＴＬＳ、ＩＰＳｅｃ、ＶＰＮなどの技術を用いることができる。
【００１８】
次に、上記構成のシステムの機能について、図３〜図５を参照しつつ説明する。
まず、第１処理である「所定組織会員登録」について説明する。所定組織通信端末装置６０を通して、注文管理サーバ３０の会員情報登録サイトを介して（Ｓ１００）、決済中継サーバ１０の第１処理ユニット１２１に会員コード、パスワード、住所、氏名、電子メールアドレス、銀行口座、手数料情報等の必要情報を入力する（Ｓ１０２）。決済中継サーバ１０は、そのデータをデータベースサーバ２０に送信することにより、このデータは会員管理用データベース１１１に登録される（Ｓ１０４）。こうして登録された内容は、予め商品販売スタッフ又は役務提供スタッフに対して付与しておく。
【００１９】
こうして第１処理を行った後に、スタッフは認証登録を行う。スタッフは各自の携帯電話機４０から、Ｗｅｂサーバ５のカード決済承認サイトにアクセスし（Ｓ１０６）、その携帯電話機４０から会員コードを入力する（Ｓ１０８）。このデータは、Ｗｅｂサーバ５によって、決済中継サーバ１０の第２処理ユニットに送られる（Ｓ１１０）。第２処理ユニット１２２は、受信した会員コードが会員管理用データベース１１１に登録されているか否かを確認する（Ｓ１１２）。ここで会員コードが、登録されている場合にのみ、第３処理ユニット１２４が、携帯電話機４０に対してカード決済サイトへのアクセス権を与える（Ｓ１１４，Ｓ１１６，Ｓ１１８）。次に、携帯電話機４０からカード決済サイトに会員コード及びパスワードを入力すると、このデータに基づき、認証（各スタッフが、個々に持つ携帯電話機４０からカード決済を行うための識別子である）が作成される（Ｓ１２０）。この認証は、Ｗｅｂサーバ５を介して、決済中継サーバ１０の第４処理ユニット１２４に送信される（Ｓ１２２，Ｓ１２４）。ここで、第４処理ユニット１２４は、その認証を会員管理用データベース１１１に登録し（Ｓ１２６）、その登録結果が各サーバ５，１０を介して、携帯電話機４０に返信される（Ｓ１２８，Ｓ１３０，Ｓ１３２）。
【００２０】
こうして認証の登録がなされると、スタッフが購入者に対して実際に商品の販売又は役務の提供を行った際の料金についてのカード決済することができる。スタッフが実際に顧客のカード決済を必要とした場合には、まず各スタッフの携帯電話機４０よりＷｅｂサーバ５の決済承認サイトへアクセスし、会員コード及びパスワードを入力する（Ｓ１３４）。すると、認証が作成されて、第５処理ユニット１２５に送信される（Ｓ１３６）。第５処理ユニット１２５は、この認証が会員管理用データベース１１１に登録されているか否かを確認し（Ｓ１３８）、登録されている場合にのみ、携帯電話機４０からカード情報の入力を可能とする（Ｓ１４０，Ｓ１４２）。
【００２１】
次に、顧客からスタッフにクレジットカードが預けられ、スタッフにより顧客のカード情報、及びスタッフが販売した商品又は提供した役務の金額等の情報（以下、「カード決済情報」という）が携帯電話機４０に入力される（Ｓ１４４）。このとき、商品又は役務の購入者の暗証コードは、少なくとも７個以上のコードとされている。コードには、０〜９の数字の任意の組合せの他に、アルファベット、ひらがな、及び／又はカタカナが混合したものを選ぶことができる。この暗証コードのうち、７個以上をマスクすることにより、購入者は入力することで確認可能であるが、スタッフに対しては暗証コードの確認は不可能とされている。
携帯電話機４０から入力されたカード決済情報は、Ｗｅｂサーバ５を介して中継サーバ１０に送られ（Ｓ１４６）、第６処理ユニット１２６がカード決済処理を実行する。第６処理ユニット１２６は、まずネットワークを介してクレジットカード会社の金融機関の端末８０に接続し、顧客のカード決済情報を送信し、同端末から決済の可否に対する回答を受信する（Ｓ１４８）。カード決済が可能な場合には、顧客のカード支払決済が行われ、その結果が、Ｗｅｂサーバ５を介して（Ｓ１５０）、携帯電話機４０に返される（Ｓ１５２）。また、携帯電話機４０より入力された内容は、決済用データベース１１２に登録される（Ｓ１５４）と共に、後述のＡ処理（ポイント加算処理）が行われる（Ｓ１５６）。以上で、カード決済処理が完了する。
【００２２】
また、商品販売又は役務提供を受けて、上記カード決済処理を終了した購入者は、図５に示すようにして、カード決済の内容を確認することができる。購入者の携帯電話機７０から、決済内容確認サイトにアクセスし、ＩＤコード及び暗証コードを入力する（Ｓ１５８）。これらのコードは、Ｗｅｂサーバ５を介して中継サーバ１０に送られ（Ｓ１５８）、第７処理ユニット１２７が処理を実行する（Ｓ１６０）。第７処理ユニット１２７は、購入者のＩＤコード及び暗証コードを決済用データベース１１２に問い合わせ（Ｓ１６２）、両コードが一致する場合に、記録されているカード決済の内容を購入者の携帯電話機７０で閲覧できるように返送する（Ｓ１６４，Ｓ１６６，Ｓ１６８）。こうして、購入者は、Ｗｅｂサーバ５を介して、自分の携帯電話機７０でカード決済の内容を確認することができる。
次に、ポイント加算処理（Ｓ１５６）について説明する。上記カード決済処理が完了したときには、第６処理ユニット１２６は、その内容を第８処理ユニット１２８に伝達する（Ｓ１７０）。第８処理ユニット１２８は、カード決済処理の内容に応じて、購入者に対して所定のポイントを付与する。具体的には、ポイントカードデータベース１１３に、カード決済の内容を送信すると、このデータベース１１３に記録されている各商品又は役務の内容とそれぞれに対するポイント数を計算し、そのポイントを各購入者のポイント数に加算するという処理を行う（Ｓ１７２）。
【００２３】
なお、このポイントは、購入者が次の商品又は役務の購入を行う際のカード決済処理のときに、代金の一部として使用するように構成することが好ましい。この場合には、Ｓ１４６において、第６処理ユニット１２６に対してカード決済処理を行うような入力がなされたときに、第６処理ユニット１２６がポイントカードデータベース１１３からその購入者の現在ポイント数をチェックし、会員の携帯電話機４０を通して購入者に対して、現在のポイント数の提示と、そのポイント数を所定の数だけ使用したときの代金の割引を計算して提示する。購入者が、カード決済に際して、そのポイント数（の一部又は全部）を使用する場合には、その割引された代金をカード決済処理すると共に、第８処理ユニット１２８に対して、使用されたポイント数を送信する。すると第８処理ユニット１２８は、そのポイント数の減算処理のポイント計算の経緯をデータベース１１３に記録するという処理を行う。
【００２４】
また、購入者の携帯電話機７０からは、その購入者のポイントを確認することができる。携帯電話機７０からＷｅｂサーバ５のポイント確認サイトにアクセスし、ＩＤコードと暗証コードを入力すると、その情報がサーバ５を介して、第８処理ユニット１２８に送られる（Ｓ１７４，Ｓ１７６）。すると、第８処理ユニット１２８は、ポイントカードデータベース１１３から購入者のポイントを検索・抽出し（Ｓ１７８，Ｓ１８０）、携帯電話機７０に返送する（Ｓ１８２，Ｓ１８４）。
【００２５】
このように本実施形態によれば、カード決済用のネットワーク通信機能は、携帯電話機４０に備わっているので、従来のように特別なチップを用いる必要がなく、低廉とすることができる。従って、従来の技術に比べると、低廉なカード決済処理を実行することができる。
また、スタッフが所属する所定組織としては、場所を選ばず決済ができるため販売（商業）規模の拡大が容易になるというメリットがある。
【図面の簡単な説明】
【００２６】
【図１】本実施形態の決済処理システムの概要を示す図である。
【図２】決済中継サーバ、及びデータベースサーバの構成を示す図である。
【図３】決済処理システムによるカード決済処理の内容を説明する図（１）である。
【図４】決済処理システムによるカード決済処理の内容を説明する図（２）である。
【図５】決済処理システムによるカード決済処理の内容を説明する図（３）である。
【符号の説明】
【００２７】
１０…決済中継サーバ、２０…データベースサーバ、１１１…会員管理用データベース、１１２…決済用データベース、１１３…ポイントカードデータベース、１２１…第１処理ユニット（第１処理手段）、１２２…第２処理ユニット（第２処理手段）、１２３…第３処理ユニット（第３処理手段）、１２４…第４処理ユニット（第４処理手段）、１２５…第５処理ユニット（第５処理手段）、１２６…第６処理ユニット（第６処理手段）、１２７…第７処理ユニット（第７処理手段）、１２８…第８処理ユニット（第８処理手段）、４０…スタッフの携帯電話機、７０…購入者の携帯電話機
【図１】
2006146411.tif 000003
【図２】
2006146411.tif 000004
【図３】
2006146411.tif 000005
【図４】
2006146411.tif 000006
【図５】
2006146411.tif 000007